(57)【特許請求の範囲】
【請求項１】
ａ．基部と；
ｂ．内側の空間フレームのアーマチュアと；
ｃ．前記内側の空間フレームのアーマチュアと幾何学的に類似し、前記内側の空間フレームのアーマチュアよりも大きく拡大した形状の外側の空間フレームのアーマチュアとを具え；
さらに、前記内側アーマチュアは前記外側アーマチュア内に実質的に収められており；
ｄ．軸であって、前記外側アーマチュアが当該軸を中心に回転可能に配置された状態で前記基部から垂直向きに支持されている軸と；
ｅ．前記内側アーマチュアに動作するよう連結された動力源と；
ｆ．前記外側アーマチュアに動作するよう連結された動力源とを具える機械的な装置において、
前記動力源が通電され作動したときに前記アーマチュアを前記軸の線を中心に互いに反対方向に回転させるように、前記動力源が設置かつ構成され、前記アーマチュアにそれぞれ連結されており；
さらに、前記アーマチュアはそれぞれ、上側および下側の正四角錐を含む一組の幾何学的形状の形態をした空間フレームを構成するロッドを具え、前記正四角錐はそれぞれの基部が平行な平面内にあり、その頂点を通る線が前記基部の平面に対して垂直となる状態で配置されており；
さらに、前記角錐は、前記上側の角錐の基部の辺が前記下側の角錐の基部の辺に対して４５度となるように相互に配置されており；
さらに、前記角錐は、前記上側の角錐の各コーナーから前記下側の角錐の基部のそれぞれ最も近い２つのコーナーまで延在している２つのロッドにより、相互の間隔が開いており、互いに堅く連結されていることを特徴とする装置。
【請求項２】
請求項１に記載の装置において、前記動力源が、電気モータを具えることを特徴とする装置。
【請求項３】
請求項１に記載の装置において、前記動力源が、ＤＣモータを具えることを特徴とする装置。
【請求項４】
請求項１に記載の装置において、前記動力源が、風力を具えることを特徴とする装置。
【請求項５】
請求項１に記載の装置において、前記動力源が、ＡＣモータを具えることを特徴とする装置。
【請求項６】
請求項３に記載の装置がさらに、前記モータにエネルギを提供するように前記モータに動作するよう連結された太陽光パネルを具えていることを特徴とする装置。
【請求項７】
請求項３に記載の装置において、動力用エネルギの供給源が、水力を含むことを特徴とする装置。
【請求項８】
請求項１に記載の装置において、前記内側アーマチュアに動作するよう連結された前記動力源が、前記外側アーマチュアに動作するよう連結された前記動力源とは異なっていることを特徴とする装置。
【請求項９】
請求項１に記載の装置であって、１分間に２５０乃至１０００回転の回転速度を可能にするよう構成されていることを特徴とする装置。
【請求項１０】
請求項１に記載の装置において、前記ロッドの１以上が、ステンレス鋼およびアルミニウムからなるリストによる材料から実質的に構成されていることを特徴とする装置。
【請求項１１】
植物を処理する方法において：
ａ．特定の対称的な幾何学的形状の第１の垂直の空間フレームを、その垂直な中心線を中心に回転させるステップと；
ｂ．前記第１の垂直の空間フレームと実質的に同一形状であり、前記第１の垂直の空間フレームと共通の中心線を有する第２の垂直の空間フレームを回転させるステップとを含んでおり、前記第２の垂直の空間フレームは約５：４の比率で前記第１の垂直の空間フレームに比例して縮小されており；
前記第１の垂直の空間フレームの回転および前記第２の垂直の空間フレームの回転は反対方向であり；
前記特定の対称的な形状は、以下の：
ｉ．垂直な中心線の周りに４回対称の回転対称であり；
ｉｉ．上方および下方の端部に合同の対向する正四角錐を有するという性質を有していることを特徴とする方法。
【請求項１２】
請求項１１に記載の方法において、空間フレームを含む前記特定の対称的な幾何学的形状が上側および下側の正四角錐を含む一組の幾何学的形状であり、前記正四角錐はそれぞれの基部が平行な平面内にあり、それらの頂点を通る線が前記基部の平面に対して垂直となる状態で配置されており；
さらに、前記角錐は、前記上側の角錐の基部の辺が前記下側の角錐の基部の辺に対して４５度となるように相互に配置されており；
さらに、前記角錐は、前記上側の角錐の各コーナーから前記下側の角錐の基部のそれぞれ最も近い２つのコーナーまで延在している２つのロッドにより、相互の間隔が開いており、互いに堅く連結されていることを特徴とする方法。
【請求項１３】
請求項１１に記載の方法において、各回転速度が、それぞれ１分間に約４００乃至５００回転であることを特徴とする方法。
【請求項１４】
請求項１１に記載の方法において、角錐を構成するロッドと角錐を互いに連結するロッドの比率が、約１：１．８乃至１：２であることを特徴とする方法。
【請求項１５】
請求項１１に記載の方法において、前記特定の幾何学的形状が、請求項１に記載のアーマチュアの形状であることを特徴とする方法。
【請求項１６】
請求項１１に記載の方法において、回転速度の少なくとも一方が、１分間に約４００乃至５００回転であることを特徴とする方法。
【請求項１７】
請求項１１に記載の方法において、回転速度の少なくとも一方が、１分間に約１００乃至２０００回転であることを特徴とする方法。
【請求項１８】
請求項１に記載の装置を具える娯楽デバイス。
【発明の詳細な説明】
【技術分野】
【０００１】
本教示は、園芸および農業の生産性を高める装置および方法を含む。
【背景技術】
【０００２】
植物栽培の分野は、鋤から人工的灌漑、異種交配、今ではＤＮＡ調査の応用の発達まで技術的進歩を促してきた。植物環境を変化させる僅かな影響力がある分野では、「植物に話しかける」ことや、モーツアルトを演奏することを実験してきた。これらの技術の何れも広く利用されていないが、植物生長への音や振動の影響に関する本格的な研究は増えている。全ての生物と同様に、植物は周囲を観察する非常に複雑な感覚ネットワークを有しており、その環境に適合するよう生長や発達を調整することが分かっている。例えば、風または接触などの様々な力学的乱れを受けた植物は、後に続く力学的なストレス耐性を高める生理学的および発育上の変化を受ける。機械的な刺激に応じた発育上の変化は、接触形態形成と総称される。
【０００３】
エルゼビアのＵｌｔｒａｓｏｎｉｃｓ  ｊｏｕｒｎａｌ（４１（２００３）４０７−４１）に出版された、Ｙｕ−Ｃｈｕａｎ  Ｑｉｎ，Ｗｏｎ−Ｃｈｕ  Ｌｅｅ，Ｙｏｕｎｇ−Ｃｈｅｏｌ  ＣｈｏｉおよびＴａｅ−Ｗａｎ  Ｋｉｍによる速報論文「Ｂｉｏｃｈｅｍｉｃａｌ  ａｎｄ  ｐｈｙｓｉｏｌｏｇｉｃａｌ  ｃｈａｎｇｅｓ  ｉｎ  ｐｌａｎｔｓ  ａｓ  ａ  ｒｅｓｕｌｔ  ｏｆ  ｄｉｆｆｅｒｅｎｔ  ｓｏｎｉｃ  ｅｘｐｏｓｕｒｅｓ（異なる音響を受けた結果による植物中の生化学的および生理学的変化）」は、これらの現象の一部に影響を与えうる生化学的メカニズムを調査している。２の生長段階における白菜ときゅうりが研究者の対象であった。各植物の種類に対して３つのグループが構成された。いかなる人工的な音響処理も受けない基準グループに加えて、１グループは２０ｋＨｚの規則的な超音波（ＵＳ）を受け、その他のグループはクラシック音楽と鳥のさえずりを含む自然の音響の組み合わせからなる、いわゆる「グリーン音楽（ｇｒｅｅｎ  ｍｕｓｉｃ）」（ＧＭ）の作用を受けた。Ｏ２の摂取量とポリアミン含有量の双方が測定された。簡単に言うと、白菜がＧＭにより肯定的に反応し、きゅうりがＵＳに反応することが分かった。しかしながら、それぞれの測定量について、音波を受けた植物の一方または他方の何れか、あるいは双方ともに基準植物よりも高い読み取り値であった。この論文のポリアミン含有量の測定値の図が図１Ａおよび１Ｂに再現されている。この論文の白菜の生長のグラフの説明文は、「異なる音響の作用を受けた結果、白菜の苗木のポリアミン含有量（ｎｍｏｌ／ｇＦＷ）は（Ａ）１５ｄおよび（Ｂ）成熟植物（７０ｄ）である。エラーバーは、ポリアミン含有量の平均の標準偏差を表わしている。」である。この論文のきゅうりの説明文は、「異なる音響処理の結果、きゅうりの苗木のポリアミン含有量（ｎｍｏｌ／ｇＦＷ）は（Ａ）１５ｄおよび（Ｂ）成熟植物（７０ｄ）である。エラーバーは、ポリアミン含有量の平均の標準偏差を表わしている。」である。
【０００４】
研究は特定の周波数の効果にも注目しており、例えばＭｉ−Ｊｅｏｎｇ  Ｊｅｏｎｇ，Ｃｈａｎｇ−Ｋｉ  Ｓｈｉｍ，Ｊｉｎ−Ｏｈｋ  Ｌｅｅ，Ｈａｗｋ−Ｂｉｎ  Ｋｗｏｎ，Ｙａｎｇ−Ｈａｎ  Ｋｉｍ，Ｓｅｏｎｇ−Ｋｏｎ  Ｌｅｅ，Ｍｙｅｏｎｇ−Ｏｋ  ＢｙｕｎおよびＳｏｏ−Ｃｈｕｌ  Ｐａｒｋによる「Ｐｌａｎｔ  ｇｅｎｅ  ｒｅｓｐｏｎｓｅｓ  ｔｏ  ｆｒｅｑｕｅｎｃｙ−ｓｐｅｃｉｆｉｃ  ｓｏｕｎｄ  ｓｉｇｎａｌｓ（特有の音響信号の周波数に対する植物の遺伝子反応）」（Ｍｏｌ  Ｂｒｅｅｄｉｎｇ（２００８）２１：２１７−２２６）が、シュプリンガーのＭｏｌｅｃｕｌａｒ  Ｂｒｅｅｄｉｎｇ  ｊｏｕｒｎａｌに発表された。彼らは、ｍＲＮＡ発現解析によって植物生長に影響を与える音声を実証した。
【０００５】
他の研究者も植物生長への振動の効果の課題に着目してきた。関連記事の１つが、高橋秀幸、菅洋および加藤忠による「Ｇｒｏｗｔｈ  Ｐｒｏｍｏｔｉｏｎ  ｂｙ  Ｖｉｂｒａｔｉｏｎ  ａｔ  ５０  Ｈｚ  ｉｎ  Ｒｉｃｅ  ａｎｄ  Ｃｕｃｕｍｂｅｒ  Ｓｅｅｄｌｉｎｇｓ（５０Ｈｚ振動によるイネおよびキュウリ実生の生長促進）」（Ｐｌａｎｔ  ＣｅｌｌＰｈｙｓｉｏｌ．３２（５）：７２９−７３２（１９９１））である。彼らは５０Ｈｚの振動の効果に注目しており、温室内のモータや他の機械装置が意図しない予想外の植物への効果を有する音響を生成しうるという問題が研究の動機であったと言及している。
【０００６】
図３は、この論文の「図１」を再現して図示している。その説明文は、「５０Ｈｚの振動による影響を受けたときの稲ときゅうりの苗木の発芽データが、経時的に発芽した種の割合として図示されている。上段（Ａ)は水中にある状態の稲の種子であり、中段（Ｂ）はフィルタ紙上の稲の種子であり、下段（Ｃ）はフィルタ紙上のきゅうりの種子である。白丸（○）と黒丸（●）はそれぞれ、基準種子と振動した種子を示している。１００の種子が各処理に使用された。」である。
【０００７】
Ｒｅｉｎｅｒ  Ｓｃｈｕｌｔｈｅｉｓｓ等による２００９年１０月１３日の米国特許第７，６００，３４３号は、植物生長への衝撃波の影響について記載している。
【０００８】
しかしながら、上記の一連の研究に則った植物生長を増進させる以前の試みは、定型的な、大規模の業務用にはされていない。我々の現在の環境規範に適合するように植物生長を増進させることができ、さらに設置および維持に費用がかからないシステムおよび方法が必要とされている。好適には、解決手法は化学肥料や化学農薬を避け、先進国世界および発展途上世界の双方に導入するのが容易なものである。
【発明の概要】
【０００９】
これらの教示に適合するシステムおよび方法は、同心と考えられる２つの逆回転する幾何学的な空間フレーム構造を伴う。生長している植物の近くで通電されて動作した場合、その植物の生長速度を増進させることができる。実験結果は、その運用が植物生長の効果的な増進に関係していることを明らかにしている。
【図面の簡単な説明】
【００１０】
【図１】図１Ａおよび１Ｂは共に、Ｙｕ−Ｃｈｕａｎ  Ｑｉｎ等の論文の図１の再描写からなる。
【図２】図２Ａおよび２Ｂは共に、Ｙｕ−Ｃｈｕａｎ  Ｑｉｎ等の論文の図２の再描写からなる。
【図３】図３は、高橋秀幸等の論文の図１の再描写である。
【図４】図４は、第１の実施例の透視図である。
【図５】図５は、図４のユニットの分離した内側アーマチュアの上下角錐の透視図を示している。
【図６】図６は、図５のアーマチュア要素の平面図を示している。
【図７】図７は、図５のような透視図による内側アーマチュアの透視図を示している。
【図８】図８は、図７の装置を示しており、同一であるが大きい外側アーマチュアを示している。
【図９】図９は、図７の内側アーマチュアと共に、その上下に配置された外側アーマチュアの大きい角錐を示している。
【図１０】図１０は、第２の実施形態のユニットを示している。
【図１１】図１１は、試験地域の場所を示す、実験が行われたトマト畑の概略図を示している。
【図１２】図１２は、拡大した図１１の試験地域であり、試験地域内の試験用苗木および設備の物理的位置を示している。
【図１３】図１３は、ユニットからの距離に対するトマトの数を示すグラフである。
【図１４】図１４は、図１３に見られるものと同一データであり、畑の位置に対して２次元で表示している。
【図１５】図１５は、屋内ユニットを用いたトマトの生長を図示している。
【発明を実施するための形態】
【００１１】
概要
世界的な人口は、２０５０年までに９０億人に達すると想定されている。砂漠化によって失われる耕作地が増加し、氷河の融解や不安定な降水パターンによって飲料水の減少が起こる。将来的に世界の人口に食物を供給することが難しくなるであろう。従って、植物生長を増進させる装置および方法は世界的に高い重要性がある。
【００１２】
構造
図４に見られる第１の実施例では、装置が垂直軸１０１を支持するプラットフォーム１００を具えている。この軸には、内側アーマチュア１０２と外側アーマチュア１０３が回転可能に連結されている。これらのアーマチュアはそれぞれ各軸受１０４で支持されており、軸を中心に別個に自由回転するよう配置されている。この例の動力源は２つのＤＣモータ１０５であり、ベルト駆動１０６によって各アーマチュアに機械的に連結されて反対方向にそれぞれの回転をもたらす。この第１の例のデバイスでは、外側アーマチュア１０３は時計回りに回転し、内側アーマチュア１０２は反時計回りに回転する。これらのアーマチュアの相対的な回転は、相互の伝動装置などによって固定した関係にされていない。これらのモータは、各アーマチュアを１分間に４００乃至５００回転の範囲で回転させるよう調整することができる。この例では、上部の上面が太陽電池パネル４０２を支持し、モータを動作させるエネルギを供給している。当該技術分野における当業者は、利用できる様々なモータの具体的な電流要求や、必要とされるエネルギ貯蔵に精通しているであろう。この例では、太陽光パネルからの電気を利用して電池を充電している。タイマーおよび速度コントローラの制御下にあるモータは電池から駆動される。
【００１３】
アーマチュア
この態様の内側および外側アーマチュアはそれぞれ、ステンレス鋼ロッドから構成された幾何学的フレームである。アルミニウムロッドを用いることもできる。これらのアーマチュアは同一の幾何学的形状であり、外側アーマチュア１０３が内側アーマチュア１０２の形状を拡大したものという差異を有している。従って、内側アーマチュアを最初に分離して記載する。これにより、装置全体を示す図面よりも明確に図示することができる。
【００１４】
内側アーマチュア
その高さとは、使用形態でプラットフォーム上の軸に配置されたときの上部から底部までの寸法である。この第１の態様では、内側アーマチュア１０２全体の高さは約２８．５インチである。最上部および最下部の要素は約３／８インチの直径のロッドであり、軸周りに適合するアーマチュア体内部の中央に位置している。このアーマチュアは、対称的に配置された直四角錐の空間フレームである上部と底部を有する空間フレームと考えることができる。この記載をより意味深いものとするため、空間フレームのロッドの長さは、上側および下側の角錐を構成するロッドの長さ（Ｌ）と関係して表される。この内側角錐についてＬは９インチである。図５に見られるように、上側の内側角錐１２１は基部１２２を有しており、この基部１２２は正方形の辺を表すように配置された長さＬの４つのロッド１２８によって形成される。基部の各コーナー２２３、２２４、２２５、２２６からは、角錐の先端を表すロッド１２９が延びている。このロッドの他端は全て頂点１２６の近くで合流する。この場合、頂点のロッドの長さもＬである。このように基部および先端部分の長さが同一なことにより、基部の平面に対して約５２度の面を有する形状となる。
【００１５】
上記のような上側の角錐１２１は、同一の空間フレーム構成である同一の下側の角錐１３０によって補完されている。しかしながら、アーマチュアを構成する際、下側の角錐は下向きの頂点１３６を有する。その姿勢は、２つの頂点１２６、１３６を繋ぐ線を中心に４５度回転していることを除き、上側の角錐に対して対称となる。この回転オフセットは、図５の角錐の上面図を示す図６で最もよく分かる。
【００１６】
図７ならびに他の図面に見られるように、２つの角錐は、上側の角錐の基部１２２のコーナーを下側の角錐の基部１３３のコーナーに相互連結する連結ロッド１３１によって間隔が開いている。各コーナーは、対向する角錐の基部において最も近い２つのコーナーに連結される。例えば、上側の角錐の特定のコーナー２２４には連結ロッド１３１が取り付けられており、その他端は下側の角錐１３０のコーナー２３５に取り付けられている。第２の連結ロッドが同一の上側の角錐のコーナー２２４に取り付けられ、その他端は第２のコーナー２３４で下側の角錐に取り付けられる。６の残りの連結ロッドは同様に角錐に取り付けられて、内側アーマチュアの対称的な幾何学形状を作り出す。これらの角錐は回転オフセットしているため、これらの８本の長さが等しいロッドは「Ｖ」字形をなす。この例では、これらのロッドの長さは全て、１．８×Ｌである。その結果、関連するロッドの寸法は、角錐の高さが０．７０７×Ｌであり、基部間の距離は０．９５×Ｌとなる。従って頂点から頂点までの合計長さは、（２×１．８＋０．９５）×Ｌまたは３．１×Ｌである。上述のように、角錐のそれぞれの先端は頂点付近で合流する。実際は、上下の支持チューブ１２７、１３７でそれぞれ終端する。これらの支持チューブは、アーマチュアの頂点を結ぶ中心線上に位置合わせされる。
【００１７】
図８は外側アーマチュアに囲まれた内側アーマチュアを示しており、双方のアーマチュアとも支持チューブを通る共通の軸上にある。この態様では、外側アーマチュアは、角錐を構成する１１インチの長さのロッドを有している。軸受が軸上で回転するアーマチュアを支持している。これらの軸受が、それぞれ回転する各アーマチュアを独立して駆動させる。二重アーマチュアアセンブリの合計高さは、頂点から頂点まで約３６インチである。
【００１８】
アセンブリ方法
アーマチュアの大部分を構成する様々なロッドおよびパイプは、この第１の例においては互いに溶接されている。一方が完全に他方の内側にあるため、外側アーマチュアは内側アーマチュアの周りに組み立てられた後に互いに溶接される。図９は部分的に組み立てられたユニットを図示している。外側の上下の角錐は、定位置で内側アーマチュアを囲んでいる。次のステップでは、外側アーマチュアの連結ロッドを２つの大きい角錐の適切なコーナー位置に溶接する。
【００１９】
バリエーション
太陽電池式ユニットは田畑での使用には理想的かもしれないが、ＡＣ電源で稼働するモータは温室または屋内の水耕利用に用いるにはより適している。各アーマチュアに対しモータを搭載するのではなく、１つの動力源がアーマチュアを反対方向に回転させるように伝動装置または他の機械的カップリングと共に単一のモータを使用することは、当該技術分野の当業者にとって既知である。ユニット全体は比率を一定にしながら、拡大または縮小することができる。
【００２０】
第２の実施例
第１の例のユニットに類似した幾何学的形状が第２の実施例に表されている。しかしながら、第２の実施例は屋内での使用を目的としている。アーマチュアのロッドはそれぞれ、第１の例の対応する構造の全長の半分である。この態様は図１０に示されている。プラットフォームおよびパイプが支持するというよりも、このユニットは内蔵型キャビネット内にある。
【００２１】
運用
屋外の運用について、実施例１の実施形態は、４のコーナーの近くでプラットフォームを支持する、地面に入り込んだほぼ１フィートの２インチ亜鉛めっきパイプによって、地面から支持することができる。このユニットは、影響を受ける作物の近傍の田畑に配置される。太陽光パネルが電池に連結され、ひいてはタイマーおよび２つのモーター用の速度コントローラに連結される。タイマーは均等な時間、均等な間隔で日中に装置を３乃至５回動作させるよう設定することが望ましい。例示的な運用では、１日に３回５分間、日中を４区間に分割する間隔で動作する。利用できる太陽光は変化するため、当該技術分野における当業者は、安定した動力源を提供して、規定の期間、規定の速度でアーマチュアを回転させる電池の機能を認識するであろう。各アーマチュアの速度はそれぞれ、１分間に４００乃至５００回転とすることができる。
【００２２】
代替的な運用方法
小型の屋内ユニットは、苗木が置かれている床にボルト留めされる。代替的に、床と接触し、固定された壁に同様にボルト留めされる。屋内ユニットは、上記のように多くの場合ＡＣから動力供給される。
【００２３】
ＡＣもまた屋外ユニットに動力供給できる。動力供給する他の方法は、太陽光パネルの代わりに風力タービンであってもよい。他には、灌漑システムにおける水の流れから動力を得る方法を含みうる。
【００２４】
現在までの実験
屋外実験
２つの主な実験が実施されてきた。大規模な屋外試験が、カリフォルニア州オックスナードのＥｃｌｉｐｓｅ農場で実施された。ここで栽培された作物はローマトマトである。第１の実施例のように構成されたユニットが導入され、上記の運用の節で説明したように、３５エーカーの長方形の田畑５００で稼動させた。この田畑の内側で、１０エーカーの四角形７００（各辺が６６０フィート）の中心にユニットが設置された。苗木の位置は、中心位置から正方形の外周部へと真北、東、南および西の線に沿って印付けられた。このユニットは２００９年７月２０日に始動し、試験中は発明者によって制御された。
【００２５】
図１２では、この実験で評価される苗木として、線ごとに５の苗木位置が印付けられた。このユニットから始まり、（それぞれコンパスが示す方向に）中心からの距離は５０フィート、１００フィート、１７５フィート、２２５および３３０フィートであった。さらに、４つの他の苗木が試験用に印付けられた。これらの４つの苗木は、同じ４の線に沿った、それぞれの線が３５エーカーのプロット周辺部と交差する４地点であった。図１１では、これらの地点がＡ、Ｂ、ＣおよびＤと示されている。正方形の範囲内の２０の苗木位置は図１２に示されている。５つの「西」の苗木位置は、Ｗ１、Ｗ２、Ｗ３、Ｗ４およびＷ５と示されている。「東」の苗木位置は、Ｅ１、Ｅ２、Ｅ３、Ｅ４、およびＥ５と示され、北と南についても同様である。
【００２６】
２４の印付けられた試験用苗木が１４週間にわたって評価された。これらの測定値は、各週のトマトの集計を含んでいた。さらに、最初の数週間は、花の数およびトマトの数の双方が２週間に一度数えられた。
【００２７】
結果
１０エーカーの範囲内のＥ−ＷおよびＮ−Ｓ線上の２０箇所のトマトの数が、線グラフトして図１３に示されている。この図は、ユニットからのフィート数に対する、Ｎ３０１、Ｓ３０２、Ｅ３０３およびＷ３０４のトマトの総数を示している。さらに、平均３０５を表す曲線も見られる。このグラフは、多くの物理的現象と整合性がある、距離によるユニットの効果の低下を実証している。同一のデータが、図１４の３次元フォーマットに表示されている。ＸおよびＹの位置はユニットに対する苗木の位置を表している。Ｚの高さは、実験の終了時に数えたときの、その位置での苗木のトマトの数を表している。
【００２８】
全ての方向について、ユニットからの距離が増加するにつれて、トマトの総数の全体的な低下が見られる。
【００２９】
田畑全体が長方形であるため、他の４つのトマトは、ユニットから一定距離にあるわけではない。ＡおよびＣは４６０フィート、Ｂは２７０フィート、Ｄは２０フィートであった。これらのデータの地点も図１３のグラフに含まれている。
【００３０】
屋内試験
第２セットの実験は屋内で実施された。実際には、カリフォルニア州マリーナデルレイのアパートのバルコニーで行われた。これらの実験は２００８年に実施された。この試験では、ケイトウ、トマト、および唐辛子の苗木を含む異なる植物を用いた。これらの苗木は、２個ずつ近くのホームデポで調達された。同様の高さおよび周囲寸法の苗木が選択された。一方が他方よりも議論の余地があるほど多少大きい場合、その一方が基準の苗木とされた。
【００３１】
この手順では、鉢植えの苗木がバルコニーのテーブル上に数インチ離して配置された。研究室で較正されたビーカーを入手して、両方の苗木に等しく加えられる水および栄養素を計量するために使用した。毎週、太陽光の差異を考慮して苗木の位置が変えられた。
【００３２】
毎日、試験用苗木が、バイオウェーブユニットが壁にボルト留めされている他の室内に持って行かれた。この機械のモータは（苗木から離れている）機械自体から１ヤード離れて設けられ、これによりモータによる磁場は苗木に影響を与えない。さらにモータは、ＥＭ放射をさらに減少させるよう、エキスパンドメタルで遮蔽されて設置された。これは磁力計で測定された。
【００３３】
試験用苗木は１日に１５分間この装置の隣に置かれて、その後にバルコニーに戻された。ある試験運用では、基準の苗木が７の花を付けたのに対して試験用苗木は１５の花を付けた。この試験は、他の植物も合わせて２００８年の間に少なくとも１８回繰り返された。全ての試験が、試験用苗木が基準の苗木よりもよく生長することを明らかにした。
【００３４】
１８の試験のうち４回は有機トマトを用いた。これらのケース全てにおいて、試験用苗木と基準の苗木のトマトの数の割合は４倍から２倍に及んだ。ある特定の試験運用した結果を図１５に示している。濃いハッチングのコラムは試験用苗木のトマトの数を表している。他方のコラムは基準の苗木を表している。双方とも７週間にわたって１週間の間隔でプロットされた。さらに、少なくとも１の記録された試験運用では、試験用苗木は更に基準の苗木よりも著しく虫害が少なかった。
【００３５】
実験の試験用苗木の１つから得たトマトは、カリフォルニア州サイプレスのＳｉｌｌｉｋｅｒ  Ｌａｂにより糖度含有量が分析された。有機トマトに関するＵＳＤＡの平均糖度率は４．９％である。この独立研究所により実施された試験は、試験トマトが１０．５％の糖度率を有することを明らかにした。
【００３６】
運用理論
具体的な動作理論は提起されておらず、知られていない。空気を通って伝達される音波、または地表を通って伝達される振動を含む、様々な既知のメカニズムを機構を取り込むことができる。重力は他の考えられる伝達媒体である。背景技術の節では、Ｙｕ−Ｃｈｕａｎ  Ｑｉｎ，Ｗｏｎ−Ｃｈｕ  Ｌｅｅ，Ｙｏｕｎｇ−Ｃｈｅｏｌ  ＣｈｏｉおよびＴａｅ−Ｗａｎ  Ｋｉｍによる「異なる音響を受けた結果による植物中の生化学的および生理学的変化」、および高橋秀幸、菅洋および加藤忠による「５０Ｈｚ振動によるイネおよびキュウリ実生の生長促進」（Ｐｌａｎｔ  Ｃｅｌｌ  Ｐｈｙｓｉｏｌ．３２（５）：７２９−７３２（１９９１））の論文について言及した。これらおよび他の刊行物は、真剣な研究者が植物の健康状態および生長に影響を与えうる想定される未だ熟知されていない要因を研究していることを表している。
【００３７】
Ｍｉ−Ｊｅｏｎｇ  Ｊｅｏｎｇ，Ｃｈａｎｇ−Ｋｉ  Ｓｈｉｍ，Ｊｉｎ−Ｏｈｋ  Ｌｅｅ，Ｈａｗｋ−Ｂｉｎ  Ｋｗｏｎ，Ｙａｎｇ−Ｈａｎ  Ｋｉｍ，Ｓｅｏｎｇ−Ｋｏｎ  Ｌｅｅ，Ｍｙｅｏｎｇ−Ｏｋ  ＢｙｕｎおよびＳｏｏ−Ｃｈｕｌ  Ｐａｒｋによる「特有の音響信号の周波数に対する植物の遺伝子反応」、および日本、郵便番号１９４、東京都町田市南大谷１１の三菱化成生命科学研究所の河崎行繁、キリュウタケシ、ウスイケンジ、および水谷広による「Ｇｒｏｗｔｈ  ｏｆ  ｔｈｅ  Ｃｅｌｌｕｌａｒ  Ｓｌｉｍｅ  Ｍｏｌｄ，Ｄｉｃｔｙｏｓｔｅｌｉｕｍ  ｄｉｓｃｏｉｄｅｕｍ，Ｉｓ  Ｇｒａｖｉｔｙ  Ｄｅｐｅｎｄｅｎｔ（重力を受けた細胞性粘菌であるキイロタマホコリカビの成長）」を含む刊行物は、植物生長への僅かな影響を教示している。植物生長に差異を起こす、あまり実体的ではない音楽の効果を明らかにしている他の論文が、２００４年第１号のｔｈｅ  ｊｏｕｒｎａｌ  ｏｆ  ａｌｔｅｒｎａｔｉｖｅ  ａｎｄ  ｃｏｍｐｌｅｍｅｎｔａｒｙ  ｍｅｄｉｃｉｎｅの１０巻ｐｐ．１１３−１２２、Ｋａｔｈｅｒｉｎｅ  Ｃｒｅａｔｈ，Ｐｈ．Ｄ．（光化学），Ｐｈ．Ｄ．（音楽）およびＧａｒｙ  Ｅ．Ｓｃｈｗａｒｔｚ，Ｐｈ．Ｄ．による「Ｍｅａｓｕｒｉｎｇ  Ｅｆｆｅｃｔｓ  ｏｆ  Ｍｕｓｉｃ，Ｎｏｉｓｅ  ａｎｄ  Ｈｅａｌｉｎｇ  Ｅｎｅｒｇｙ  Ｕｓｉｎｇ  ａ  Ｓｅｅｄ  Ｇｅｒｍｉｎａｔｉｏｎ  Ｂｉｏａｓｓａｙ（種子の発芽バイオアッセイを利用した、音楽、騒音および治癒力の効果の測定）」である。
【００３８】
さらに他の関連しうる学術論文は、Ｐｌａｎｔ  ａｎｄ  Ｃｅｌｌ  Ｐｈｙｓｉｏｌｏｇｙ，２００２，Ｖｏｌ．４３，Ｎｏ．６  ６４７−６５１、内田あゆほおよび山本興太朗による「Ｅｆｆｅｃｔｓ  ｏｆ  Ｍｅｃｈａｎｉｃａｌ  Ｖｉｂｒａｔｉｏｎ  ｏｎ  Ｓｅｅｄ  Ｇｅｒｍｉｎａｔｉｏｎ  ｏｆ  Ａｒａｂｉｄｏｐｓｉｓ  ｔｈａｌｉａｎａ（Ｌ．）Ｈｅｙｎｈ．（シロイヌナズナの種子発芽に及ぼす機械的振動の影響 ）」、さらに１９９６年４月のＪ  Ｇｒａｖｉｔ  Ｐｈｙｓｉｏｌ，３（１）：６９−７４，米国ペンシルベニア大学（フィラデルフィア），Ｂｒｏｗｎ  ＡＨ，協力者Ｂｒｏｗｎ  ＡＨの「Ｇｒａｖｉｔｙ  ｒｅｌａｔｅｄ  ｆｅａｔｕｒｅｓ  ｏｆ  ｐｌａｎｔ  ｇｒｏｗｔｈ  ｂｅｈａｖｉｏｒ  ｓｔｕｄｉｅｄ  ｗｉｔｈ  ｒｏｔａｔｉｎｇ  ｍａｃｈｉｎｅｓ（回転装置を用いて調査した重力に関する植物の生長反応の特徴）」である。
【００３９】
当該技術分野における当業者は、たとえ機構が理解されないとしても、これらの教示および他の教示が植物近傍の事象がその生長に影響を与えうると示唆していることは認識するであろう。これらは、植物の発芽と生長への僅かな影響を理解しようとする真摯な研究者の努力を表している。
【００４０】
上述したこれらの７の論文は、その全てが参照により本書に組み込まれている。
【００４１】
意図された特定の使用法に適するように様々な改変を伴う様々な実施形態が想定される。以下の特許請求の範囲では、単数形の単語は、１以上の特許請求の範囲に明確に「少なくとも１の」という表現がある場合であっても、全てのケースにおいて「少なくとも１の」ということを意味すると解釈されたい。本発明の範囲は、以下の特許請求の範囲に説明されている。
【図１】
0005489253.tif 000002
【図３】
0005489253.tif 000003
【図４】
0005489253.tif 000004
【図５】
0005489253.tif 000005
【図６】
0005489253.tif 000006
【図７】
0005489253.tif 000007
【図８】
0005489253.tif 000008
【図９】
0005489253.tif 000009
【図１０】
0005489253.tif 000010
【図１１】
0005489253.tif 000011
【図１２】
0005489253.tif 000012
【図１３】
0005489253.tif 000013
【図１４】
0005489253.tif 000014
【図１５】
0005489253.tif 000015